(57)【要約】  無線通信システムは、セルを形成する第１の基地局装置と、第１の基地局装置が接続しており、第１の基地局装置がコアネットワークと送受信するデータを中継する中継装置と、を有している。第１の基地局装置は、その第１の基地局装置が接続している中継装置の識別情報をブロードキャストする。
2010122842.tif 000002
【特許請求の範囲】
【請求項１】
セルを形成する第１の基地局装置と、
前記第１の基地局装置に接続されており、該第１の基地局装置がコアネットワークと送受信するデータを中継する中継装置と、
を有し、
前記第１の基地局装置が、該第１の基地局装置に接続されている前記中継装置の識別情報をブロードキャストする、
無線通信システム。
【請求項２】
前記第１の基地局装置からブロードキャストされた前記識別情報を受信し、自装置が接続している第２の基地局装置に該識別情報を送信するユーザ装置を更に有する、請求項１に記載の無線通信システム。
【請求項３】
前記第２の基地局装置が、自身に接続している前記ユーザ装置に識別情報の送信を要求し、
前記ユーザ装置が、前記要求を受けて、近隣の第１の基地局装置からブロードキャストされている識別情報を観測し、
前記ユーザ装置が、観測された前記識別情報を前記第２の基地局装置に送信する、
請求項２に記載の無線通信システム。
【請求項４】
前記識別情報の送信を要求するためのメッセージがＭｅａｓｕｒｅｍｅｎｔ  Ｃｏｎｔｒｏｌメッセージであり、
前記識別情報を送信するためのメッセージがＭｅａｓｕｒｅｍｅｎｔ  Ｒｅｐｏｒｔメッセージである、
請求項３に記載の無線通信システム。
【請求項５】
前記識別情報の送信を要求するための前記Ｍｅａｓｕｒｅｍｅｎｔ  Ｃｏｎｔｒｏｌメッセージには、ＴＲＵＥに設定されたＣｅｌｌ  Ｉｄｅｎｔｉｔｙ  Ｒｅｐｏｒｔｉｎｇ  Ｉｎｄｉｃａｔｏｒ情報要素と、ＴＲＵＥに設定されたＡＮＲ  Ｉｎｄｉｃａｔｏｒ情報要素とが含まれている、
請求項４に記載の無線通信システム。
【請求項６】
前記識別情報を送信するための前記Ｍｅａｓｕｒｅｍｅｎｔ  Ｒｅｐｏｒｔメッセージには、前記識別情報が格納されたＣｅｌｌ  Ｉｄｅｎｔｉｔｙ情報要素が含まれている、請求項４または５に記載の無線通信システム。
【請求項７】
前記識別情報の送信を要求するための前記Ｍｅａｓｕｒｅｍｅｎｔ  Ｃｏｎｔｒｏｌメッセージには、ＴＲＵＥに設定されたＲＮＣ  Ｉｄｅｎｔｉｔｙ  Ｒｅｐｏｒｔｉｎｇ  Ｉｎｄｉｃａｔｏｒ情報要素が含まれている、
請求項４に記載の無線通信システム。
【請求項８】
前記識別情報を送信するための前記Ｍｅａｓｕｒｅｍｅｎｔ  Ｒｅｐｏｒｔメッセージには、前記識別情報が格納されたＲＮＣ  Ｉｄｅｎｔｉｔｙ情報要素が含まれている、請求項４または７に記載の無線通信システム。
【請求項９】
前記第１の基地局装置からブロードキャストされた前記識別情報を受信する第２の基地局装置を更に有する、請求項１に記載の無線通信システム。
【請求項１０】
前記第１の基地局装置は、前記中継装置の識別情報を、Ｓｙｓｔｅｍ  Ｉｎｆｏｒｍａｔｉｏｎ内のＣｅｌｌ  Ｉｄｅｎｔｉｔｙ情報要素としてブロードキャストする、請求項１〜９のいずれか１項に記載の無線通信システム。
【請求項１１】
前記第１の基地局装置は、前記中継装置の識別情報であるＲＮＣ  ｉｄ（ＨＮＢＧＷ）を、Ｓｙｓｔｅｍ  Ｉｎｆｏｒｍａｔｉｏｎ内のＣｅｌｌ  Ｉｄｅｎｔｉｔｙ情報要素のＲＮＣ  ｉｄのフィールドに格納する、請求項１０に記載の無線通信システム。
【請求項１２】
前記第１の基地局装置は、前記中継装置の識別情報を、Ｓｙｓｔｅｍ  Ｉｎｆｏｒｍａｔｉｏｎ内のＲＮＣ  Ｉｄｅｎｔｉｔｙ情報要素としてブロードキャストする、請求項１〜９のいずれか１項に記載の無線通信システム。
【請求項１３】
前記第１の基地局装置は、前記中継装置の識別情報であるＲＮＣ  ｉｄ（ＨＮＢＧＷ）を、Ｓｙｓｔｅｍ  Ｉｎｆｏｒｍａｔｉｏｎ内のＲＮＣ  Ｉｄｅｎｔｉｔｙ情報要素のＲＮＣ  ｉｄのフィールドに格納する、請求項１２に記載の無線通信システム。
【請求項１４】
中継装置を介してコアネットワークに接続されており、無線でセルを形成してユーザ装置と接続する基地局装置であって、
設定された情報を前記セルにブロードキャストする送信部と、
自装置が接続されている前記中継装置の識別情報を、前記セルにブロードキャストする情報として前記送信部に設定する設定部と、を有する基地局装置。
【請求項１５】
前記設定部は、前記中継装置の識別情報を、Ｓｙｓｔｅｍ  Ｉｎｆｏｒｍａｔｉｏｎ内のＣｅｌｌ  Ｉｄｅｎｔｉｔｙ情報要素として、前記送信部に設定する、請求項１４に記載の基地局装置。
【請求項１６】
前記設定部は、前記中継装置の識別情報であるＲＮＣ  ｉｄ（ＨＮＢＧＷ）を、Ｓｙｓｔｅｍ  Ｉｎｆｏｒｍａｔｉｏｎ内のＣｅｌｌ  Ｉｄｅｎｔｉｔｙ情報要素のＲＮＣ  ｉｄのフィールドとして、前記送信部に設定する、請求項１５に記載の基地局装置。
【請求項１７】
前記設定部は、前記中継装置の識別情報を、Ｓｙｓｔｅｍ  Ｉｎｆｏｒｍａｔｉｏｎ内のＲＮＣ  Ｉｄｅｎｔｉｔｙ情報要素として、前記送信部に設定する、請求項１４に記載の基地局装置。
【請求項１８】
前記設定部は、前記中継装置の識別情報であるＲＮＣ  ｉｄ（ＨＮＢＧＷ）を、Ｓｙｓｔｅｍ  Ｉｎｆｏｒｍａｔｉｏｎ内のＲＮＣ  Ｉｄｅｎｔｉｔｙ情報要素のＲＮＣ  ｉｄのフィールドとして、前記送信部に設定する、請求項１７に記載の基地局装置。
【請求項１９】
中継装置を介してコアネットワークに接続されており、無線でセルを形成してユーザ装置と接続する第１の基地局装置からブロードキャストされた、該基地局装置が接続している該中継装置の識別情報を受信する受信部と、
前記受信部が受信した前記識別情報を、自装置が接続している第２の基地局装置に送信する送信部と、
を有するユーザ装置。
【請求項２０】
前記受信部は、前記第２の基地局装置から識別情報の送信を要求されたら、前記第１の基地局装置からブロードキャストされている識別情報を受信する、
請求項１９に記載のユーザ装置。
【請求項２１】
前記識別情報の送信を要求するためのメッセージがＭｅａｓｕｒｅｍｅｎｔ  Ｃｏｎｔｒｏｌメッセージであり、
前記識別情報を送信するためのメッセージがＭｅａｓｕｒｅｍｅｎｔ  Ｒｅｐｏｒｔメッセージである、
請求項２０に記載のユーザ装置。
【請求項２２】
前記識別情報の送信を要求するための前記Ｍｅａｓｕｒｅｍｅｎｔ  Ｃｏｎｔｒｏｌメッセージには、ＴＲＵＥに設定されたＣｅｌｌ  Ｉｄｅｎｔｉｔｙ  Ｒｅｐｏｒｔｉｎｇ  Ｉｎｄｉｃａｔｏｒ情報要素と、ＴＲＵＥに設定されたＡＮＲ  Ｉｎｄｉｃａｔｏｒ情報要素とが含まれている、
請求項２１に記載のユーザ装置。
【請求項２３】
前記識別情報を送信するための前記Ｍｅａｓｕｒｅｍｅｎｔ  Ｒｅｐｏｒｔメッセージには、前記識別情報が格納されたＣｅｌｌ  Ｉｄｅｎｔｉｔｙ情報要素が含まれている、請求項２１または２２に記載のユーザ装置。
【請求項２４】
前記識別情報の送信を要求するための前記Ｍｅａｓｕｒｅｍｅｎｔ  Ｃｏｎｔｒｏｌメッセージには、ＴＲＵＥに設定されたＲＮＣ  Ｉｄｅｎｔｉｔｙ  Ｒｅｐｏｒｔｉｎｇ  Ｉｎｄｉｃａｔｏｒ情報要素が含まれている、
請求項２１に記載のユーザ装置。
【請求項２５】
前記識別情報を送信するための前記Ｍｅａｓｕｒｅｍｅｎｔ  Ｒｅｐｏｒｔメッセージには、前記識別情報が格納されたＲＮＣ  Ｉｄｅｎｔｉｔｙ情報要素が含まれている、請求項２１または２４に記載のユーザ装置。
【請求項２６】
前記第１の基地局装置からは、前記中継装置の識別情報が、Ｓｙｓｔｅｍ  Ｉｎｆｏｒｍａｔｉｏｎ内のＣｅｌｌ  Ｉｄｅｎｔｉｔｙ情報要素としてブロードキャストされる、請求項１９〜２５のいずれか１項に記載のユーザ装置。
【請求項２７】
前記第１の基地局装置からは、前記中継装置の識別情報であるＲＮＣ  ｉｄ（ＨＮＢＧＷ）が、Ｓｙｓｔｅｍ  Ｉｎｆｏｒｍａｔｉｏｎ内のＣｅｌｌ  Ｉｄｅｎｔｉｔｙ情報要素のＲＮＣ  ｉｄのフィールドに格納してブロードキャストされる、請求項２６に記載のユーザ装置。
【請求項２８】
前記第１の基地局装置からは、前記中継装置の識別情報が、Ｓｙｓｔｅｍ  Ｉｎｆｏｒｍａｔｉｏｎ内のＲＮＣ  Ｉｄｅｎｔｉｔｙ情報要素としてブロードキャストする、請求項１９〜２５のいずれか１項に記載のユーザ装置。
【請求項２９】
前記第１の基地局装置からは、前記中継装置の識別情報であるＲＮＣ  ｉｄ（ＨＮＢＧＷ）が、Ｓｙｓｔｅｍ  Ｉｎｆｏｒｍａｔｉｏｎ内のＲＮＣ  Ｉｄｅｎｔｉｔｙ情報要素のＲＮＣ  ｉｄのフィールドに格納してブロードキャストされる、請求項２８に記載のユーザ装置。
【請求項３０】
自身に接続しているユーザ装置に、セルを形成する基地局装置からブロードキャストされた識別情報の送信を要求する要求部と、
前記ユーザ装置から送信される前記識別情報を取得する取得部と、を有する基地局装置。
【請求項３１】
セルを用いる無線通信システムの通信制御方法において、
前記セルを形成する第１の基地局装置が、該第１の基地局装置が接続している、該第１の基地局装置がコアネットワークと送受信するデータを中継する中継装置の識別情報をブロードキャストすることを特徴とする、通信制御方法。
【請求項３２】
ユーザ装置は、前記第１の基地局装置からブロードキャストされた前記識別情報を受信し、自装置が接続している第２の基地局装置に該識別情報を送信する、請求項３１に記載の通信制御方法。
【請求項３３】
前記第２の基地局装置が、自身に接続している前記ユーザ装置に識別情報の送信を要求し、
前記ユーザ装置が、前記要求を受けて、近隣の第１の基地局装置からブロードキャストされている識別情報を観測し、
前記ユーザ装置が、観測された前記識別情報を前記第２の基地局装置に送信する、
請求項３２に記載の通信制御方法。
【請求項３４】
前記識別情報の送信を要求するためのメッセージがＭｅａｓｕｒｅｍｅｎｔ  Ｃｏｎｔｒｏｌメッセージであり、
前記識別情報を送信するためのメッセージがＭｅａｓｕｒｅｍｅｎｔ  Ｒｅｐｏｒｔメッセージである、
請求項３３に記載の通信制御方法。
【請求項３５】
前記識別情報の送信を要求するための前記Ｍｅａｓｕｒｅｍｅｎｔ  Ｃｏｎｔｒｏｌメッセージには、ＴＲＵＥに設定されたＣｅｌｌ  Ｉｄｅｎｔｉｔｙ  Ｒｅｐｏｒｔｉｎｇ  Ｉｎｄｉｃａｔｏｒ情報要素と、ＴＲＵＥに設定されたＡＮＲ  Ｉｎｄｉｃａｔｏｒ情報要素とが含まれている、
請求項３４に記載の通信制御方法。
【請求項３６】
前記識別情報を送信するための前記Ｍｅａｓｕｒｅｍｅｎｔ  Ｒｅｐｏｒｔメッセージには、前記識別情報が格納されたＣｅｌｌ  Ｉｄｅｎｔｉｔｙ情報要素が含まれている、請求項３４または３５に記載の通信制御方法。
【請求項３７】
前記識別情報の送信を要求するための前記Ｍｅａｓｕｒｅｍｅｎｔ  Ｃｏｎｔｒｏｌメッセージには、ＴＲＵＥに設定されたＲＮＣ  Ｉｄｅｎｔｉｔｙ  Ｒｅｐｏｒｔｉｎｇ  Ｉｎｄｉｃａｔｏｒ情報要素が含まれている、
請求項３４に記載の通信制御方法。
【請求項３８】
前記識別情報を送信するための前記Ｍｅａｓｕｒｅｍｅｎｔ  Ｒｅｐｏｒｔメッセージには、前記識別情報が格納されたＲＮＣ  Ｉｄｅｎｔｉｔｙ情報要素が含まれている、請求項３４または３７に記載の通信制御方法。
【請求項３９】
前記第１の基地局装置は、前記中継装置の識別情報を、Ｓｙｓｔｅｍ  Ｉｎｆｏｒｍａｔｉｏｎ内のＣｅｌｌ  Ｉｄｅｎｔｉｔｙ情報要素としてブロードキャストする、請求項３１〜３８のいずれか１項に記載の通信制御方法。
【請求項４０】
前記第１の基地局装置は、前記中継装置の識別情報であるＲＮＣ  ｉｄ（ＨＮＢＧＷ）を、Ｓｙｓｔｅｍ  Ｉｎｆｏｒｍａｔｉｏｎ内のＣｅｌｌ  Ｉｄｅｎｔｉｔｙ情報要素のＲＮＣ  ｉｄのフィールドに格納する、請求項３９に記載の通信制御方法。
【請求項４１】
前記第１の基地局装置は、前記中継装置の識別情報を、Ｓｙｓｔｅｍ  Ｉｎｆｏｒｍａｔｉｏｎ内のＲＮＣ  Ｉｄｅｎｔｉｔｙ情報要素としてブロードキャストする、請求項３１〜３８のいずれか１項に記載の通信制御方法。
【請求項４２】
前記第１の基地局装置は、前記中継装置の識別情報であるＲＮＣ  ｉｄ（ＨＮＢＧＷ）を、Ｓｙｓｔｅｍ  Ｉｎｆｏｒｍａｔｉｏｎ内のＲＮＣ  Ｉｄｅｎｔｉｔｙ情報要素のＲＮＣ  ｉｄのフィールドに格納する、請求項４１に記載の通信制御方法。
【発明の詳細な説明】
【技術分野】
【０００１】
本発明は、基地局によってセルを形成することにより、移動可能なユーザ装置と無線接続する無線通信システムに関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）の一般的な無線通信システムにおいては、ユーザ装置（ＵＥ：Ｕｓｅｒ  Ｅｑｕｉｐｍｅｎｔ）は、基地局装置（ＮｏｄｅＢ）および基地局制御装置（ＲＮＣ：Ｒａｄｉｏ  Ｎｅｔｗｏｒｋ  Ｃｏｎｔｒｏｌｌｅｒ）を介してコアネットワーク（ＣＮ：Ｃｏｒｅ  Ｎｅｔｗｏｒｋ）に接続する。【０００３】
ＮｏｄｅＢによって形成される無線通信が可能な領域は、通常、マクロセルと呼ばれる半径の比較的大きなセルである。３ＧＰＰにおいては、このような一般的な構成の無線通信ネットワークに対して、フェムトセルと呼ばれる小さなセルを追加するための検討が行われている（文献１参照）。【０００４】
例えば、フェムトセルを形成する小型の基地局装置としてＨＮＢ（Ｈｏｍｅ  ＮｏｄｅＢ）を適宜配置し、そのＨＮＢを公衆有線ネットワークを介してＨＮＢＧＷ（ＨＮＢ  Ｇａｔｅｗａｙ）に接続するというアーキテクチャが考えられている。例えば、ＨＮＢは家庭または企業などの屋内エリアに設置される。【０００５】
ＨＮＢＧＷは、ＨＮＢとコアネットワークが互いに送受信するデータを中継する中継装置であり、論理的にはＨＮＢＧＷとコアネットワークの間に配置される。ＨＮＢは、また公衆有線ネットワークを介してＨＭＳ（ＨＮＢ  Ｍａｎａｇｅｍｅｎｔ  Ｓｙｓｔｅｍ）にも接続される。ＨＭＳはＨＮＢのパラメータや構成情報を管理する管理装置である。ＨＮＢＧＷおよびＨＭＳは一般には複数のＨＮＢを所属させることができる。【０００６】
図１８は、マクロセルとフェムトセルの両方を展開する無線通信システムの構成例を示すブロック図である。図１８を参照すると、本無線通信システムは、ＮｏｄｅＢ５０１，５０２、ＲＮＣ７０１、ＨＮＢ１０１，１０２、ＨＮＢＧＷ３０１、およびＨＭＳ４０１を有している。ＮｏｄｅＢ５０１、５０２がマクロセル６０１，６０２を形成し、ＨＮＢ１０１，１０２がそれぞれフェムトセル２０１，２０２を形成している。【０００７】
ＮｏｄｅＢ５０１，５０２はＲＮＣ７０１に接続され、そのＲＮＣ７０１がコアネットワークノード９０１に接続されている。【０００８】
ＨＮＢ１０１，１０２は公衆有線ネットワーク１０００を介してＨＮＢＧＷ３０１およびＨＭＳ４０１に接続されている。そのＨＮＢＧＷ３０１がコアネットワークノード９０１に接続されている。ここではＨＮＢ１０１とＨＮＢ１０２が同じＨＮＢＧＷ３０１およびＨＭＳ４０１に接続される例が示されているが、それぞれが異なるＨＮＢＧＷおよびＨＭＳに接続される構成もとりうる。【０００９】
このような構成の無線通信システムにおいて、ＵＥ８０２はＮｏｄｅＢ５０１，５０２とＨＮＢ１０１，１０２のいずれにも接続することができ、さらに、それらの間をハンドオーバできることが好ましい。３ＧＰＰ−ＷＣＤＭＡシステムではハンドオーバにはＳＲＮＳ  Ｒｅｌｏｃａｔｉｏｎ  Ｐｒｏｃｅｄｕｒｅが利用されるので（文献５参照）、この手順の実行を可能にすることが好ましい。【００１０】
また、将来的には、人の手の介入なしで、あるいは人の手の介入を極力なくして、ネットワーク構成を構築する機能としてＳＯＮ（Ｓｅｌｆ−Ｏｒｇａｎｉｚｉｎｇ  Ｎｅｔｗｏｒｋｓ）の導入が期待されている（文献２参照）。例えば、自動近隣セル関係構築（文献３参照）や、自律的ネットワーク最適構成（文献４参照）などが注目される。【００１１】
＜文献＞
文献１：  ３ＧＰＰ  ＴＳ  ２５．４６７  Ｖ８．１．０、  ＵＴＲＡＮ  ａｒｃｈｉｔｅｃｔｕｒｅ  ｆｏｒ  ３Ｇ  Ｈｏｍｅ  ＮｏｄｅＢ；  Ｓｔａｇｅ  ２
文献２：  ３ＧＰＰ  ＴＳ  ３２．５００  Ｖ８．０．０、  Ｔｅｌｅｃｏｍｍｕｎｉｃａｔｉｏｎ  Ｍａｎａｇｅｍｅｎｔ；  Ｓｅｌｆ−Ｏｒｇａｎｉｚｉｎｇ  Ｎｅｔｗｏｒｋｓ  （ＳＯＮ）；  Ｃｏｎｃｅｐｔｓ  ａｎｄ  ｒｅｑｕｉｒｅｍｅｎｔｓ
文献３：  ３ＧＰＰ  ＴＳ  ３２．５１１  Ｖ８．１．０、  Ｔｅｌｅｃｏｍｍｕｎｉｃａｔｉｏｎ  ｍａｎａｇｅｍｅｎｔ；  Ａｕｔｏｍａｔｉｃ  Ｎｅｉｇｈｂｏｕｒ  Ｒｅｌａｔｉｏｎ  （ＡＮＲ）  ｍａｎａｇｅｍｅｎｔ；  Ｃｏｎｃｅｐｔｓ  ａｎｄ  ｒｅｑｕｉｒｅｍｅｎｔｓ
文献４：  ３ＧＰＰ  ＴＳ３２．５２１  Ｖ０．３．０、  Ｔｅｌｅｃｏｍｍｕｎｉｃａｔｉｏｎ  ｍａｎａｇｅｍｅｎｔ；  Ｓｅｌｆ−Ｏｒｇａｎｉｚｉｎｇ  Ｎｅｔｗｏｒｋｓ  （ＳＯＮ）；  Ｓｅｌｆ−ｏｐｔｉｍｉｚａｔｉｏｎ  ａｎｄ  ｓｅｌｆ−ｈｅａｌｉｎｇ；  Ｃｏｎｃｅｐｔｓ  ａｎｄ  ｒｅｑｕｉｒｅｍｅｎｔｓ
文献５：  ３ＧＰＰ  ＴＳ  ２５．４１３  Ｖ８．２．１、  ＵＴＲＡＮ  Ｉｕ  ｉｎｔｅｒｆａｃｅ  Ｒａｄｉｏ  Ａｃｃｅｓｓ  Ｎｅｔｗｏｒｋ  Ａｐｐｌｉｃａｔｉｏｎ  Ｐａｒｔ  （ＲＡＮＡＰ）  ｓｉｇｎａｌｌｉｎｇ
【発明の概要】
【００１２】
ここでフェムトセルをターゲットとするハンドオーバに着目する。フェムトセルをターゲットとするハンドオーバには、マクロセルからフェムトセルへのハンドオーバと、フェムトセルからフェムトセルへのハンドオーバとがある。
【００１３】
ハンドオーバにおいてソース側からターゲット側への接続の切り替えはコアネットワークノード９０１によって行われる。そのため、フェムトセルをターゲットとするハンドオーバを実現するには、ターゲットとなるフェムトセルを形成しているＨＮＢが所属しているＨＮＢＧＷ３０１の識別情報を何らかの手段によりコアネットワークノード９０１へ通知する必要がある。しかしながら、現在、ターゲット側のＨＮＢＧＷ３０１の識別情報をコアネットワークノード９０１へ通知するために、ソース側がターゲット側のＨＮＢＧＷ３０１の識別情報を取得する適切な方法が確立されていない。
【００１４】
例えば、ＣＮ−ＲＮＣ−ＮｏｄｅＢ−ＵＥという構成の既存の３ＧＰＰ−ＷＣＤＭＡシステムの中では、フェムトセルの情報がどのノードにも設定されていない。そのため、ＵＥがマクロセルからフェムトセルに移動したとき、ハンドオーバのためのＳＲＮＳ  Ｒｅｌｏｃａｔｉｏｎ  Ｐｒｏｃｅｄｕｒｅにおいて設定するべき、フェムトセルを形成するＨＮＢの所属しているＨＮＢＧＷのＲＮＣ  ｉｄを、ソース側のＲＮＣが知ることができない。その結果、マクロセルからフェムトセルへのＳＲＮＳ  Ｒｅｌｏｃａｔｉｏｎ  ｐｒｏｃｅｄｕｒｅが実施できない。
【００１５】
また、ＣＮ−ＨＮＢＧＷ−ＨＮＢ−ＵＥという構成のＨＮＢアーキテクチャでは、公衆有線ネットワーク１０００経由で集中管理を行うＨＭＳを介さずに、近隣のフェムトセルを形成するＨＮＢが所属しているＨＮＢＧＷを伝達する方法がなかった。またＨＭＳを介しても、フェムトセルからフェムトセルへのＳＲＮＳ  Ｒｅｌｏｃａｔｉｏｎ  Ｐｒｏｃｅｄｕｒｅを即時的に実行することが困難であった。さらに、ソース側のＨＮＢとターゲット側のＨＮＢがそれぞれ別のＨＭＳに接続している場合、ターゲット側のＨＮＢが所属するＨＮＢ  ＧＷのＲＮＣ  Ｉｄを、ソース側のＨＮＢが知るためには、ＨＭＳを介して取得するとしても、ＨＭＳ間の情報のやりとりが必要となり、システムが複雑になる問題が生じる。
【００１６】
また、上述したＳＯＮ機能にも、各ＨＮＢが所属しているＨＮＢＧＷの識別情報が必要となる。しかし、その識別情報を効率よく伝達する方法が確立されていないため、ＨＮＢＧＷあるいはそれに所属するＨＮＢに、他のＨＮＢＧＷの識別情報を迅速に通知することができなかった。
【００１７】
本発明の目的は、セルを形成する基地局装置が所属している中継装置の識別情報を効率良く伝達するための技術を提供することである。
【００１８】
上記目的を達成するために、本発明の無線通信システムは、
セルを形成する第１の基地局装置と、
前記第１の基地局装置に接続されており、該第１の基地局装置がコアネットワークと送受信するデータを中継する中継装置と、
を有し、
前記第１の基地局装置が、該第１の基地局装置に接続されている前記中継装置の識別情報をブロードキャストする。
【００１９】
本発明の基地局装置は、中継装置を介してコアネットワークに接続されており、無線でセルを形成してユーザ装置と接続する基地局装置であって、
設定された情報を前記セルにブロードキャストする送信部と、
自装置が接続されている前記中継装置の識別情報を、前記セルにブロードキャストする情報として前記送信部に設定する設定部と、を有する。
【００２０】
本発明の通信制御方法は、
セルを用いる無線通信システムの通信制御方法において、
前記セルを形成する第１の基地局装置が、該第１の基地局装置が接続している、該第１の基地局装置がコアネットワークと送受信するデータを中継する中継装置の識別情報をブロードキャストすることを特徴とするものである。
【図面の簡単な説明】
【００２１】
【図１】本発明の実施形態による無線通信システムの構成例を示すブロック図である。
【図２】本発明の実施形態による無線通信システムの構成例を示すブロック図である。
【図３】ＨＮＢ１０１の構成を示すブロック図である。
【図４】ＵＥ８０１の構成を示すブロック図である。
【図５】ＨＮＢ１０２の構成を示すブロック図である。
【図６】第１の実施例による無線通信システムの動作を示すシーケンス図である。
【図７】第１の実施例を可能にする３ＧＰＰ  ＴＳ２５．３３１の記載例を示す図である。
【図８】第１の実施例を可能にする３ＧＰＰ  ＴＳ２５．３３１の記載例を示す図である。
【図９】第２の実施例による無線通信システムの構成例を示すブロック図である。
【図１０】第２の実施例による無線通信システムの動作を示すシーケンス図である。
【図１１】第３の実施例におけるＵＴＲＡＮ  Ｃｅｌｌ  Ｉｄｅｎｔｉｔｙの内容を示す図である。
【図１２】第３の実施例を可能にする３ＧＰＰ  ＴＳ２５．３３１の記載例を示す図である。
【図１３】第３の実施例による無線通信システムにおけるＵＥがＨＮＢからの要求でフェムトセルの識別子を通知するときの動作を示すシーケンス図である。
【図１４】第４の実施例による無線通信システムにおけるＵＥがＨＮＢからの要求でフェムトセルに送信される識別子を通知するときの動作を示すシーケンス図である。
【図１５】第５の実施例による無線通信システムの構成を示すブロック図である。
【図１６】第６の実施例による無線通信システムの構成を示すブロック図である。
【図１７】第７の実施例による無線通信システムの構成を示すブロック図である。
【図１８】マクロセルとフェムトセルの両方を展開する無線通信システムの構成例を示すブロック図である。
【発明を実施するための形態】
【００２２】
本発明を実施するための形態について図面を参照して詳細に説明する。
【００２３】
図１、２は、本発明の実施形態による無線通信システムの構成例を示すブロック図である。図１または図２を参照すると、本施形態による無線通信システムは、フェムトセル２０１を形成する基地局装置であるＨＮＢ１０１と、ＨＮＢ１０１が所属する中継装置であるＨＮＢＧＷ３０１とを有している。
【００２４】
ＨＮＢ１０１はＨＮＢＧＷ３０１に接続し、そのＨＮＢＧＷ３０１は、コアネットワークのノードであるＣＮ９０１に接続している。ＨＮＢＧＷ３０１は、ＨＮＢ１０１とＣＮ９０１の間にあり、ＨＮＢ１０１とＣＮ９０１とが互いに送受信するデータを中継する装置である。また、ＨＮＢ１０１は、そのＨＮＢ１０１のパラメータや構成情報を管理する管理装置であるＨＭＳ４０１に接続している。
【００２５】
本実施形態のＨＮＢ１０１は、ＨＮＢ１０１自身が所属しているＨＮＢＧＷ３０１の識別情報をフェムトセル２０１においてブロードキャストする。３ＧＰＰ−ＷＣＤＭＡシステムの一例では、ＨＮＢ１０１は、ＨＮＢＧＷ３０１の識別情報であるＲＮＣｉｄ  ｆｏｒ  ＨＮＢＧＷを、Ｓｙｓｔｅｍ  Ｉｎｆｏｒｍａｔｉｏｎ内のＲＮＣ  Ｉｄｅｎｔｉｔｙ情報要素としてブロードキャストすればよい。
【００２６】
ブロードキャストされた識別情報は、フェムトセル２０１の無線電波が到達する範囲にある装置（ＵＥ８０１、ＨＮＢ１０２、あるいはＮｏｄｅＢ５０１）に受信され、必要に応じて無線通信システム内を流通する。無線通信システムにおいて識別情報は、例えば、フェムトセル２０１をターゲットとするハンドオーバや、ＳＯＮ機能によるネットワーク構成の構築に利用される。
【００２７】
以上のように、本実施形態によれば、フェムトセル２０１を形成するＨＮＢ１０１が、そのＨＮＢ１０１が所属しているＨＮＢＧＷ３０１の識別情報をブロードキャストするので、ＨＮＢＧＷ３０１の識別情報を効率良く伝達することができる。
【００２８】
ＨＮＢ１０１が形成するフェムトセル２０１の近隣のセル配置としてはシステムのセル設計により様々な構成が考えられる。図１、２には、それぞれ異なる例が示されている。
【００２９】
図１の例では、ＨＮＢ１０１が形成するフェムトセル２０１の近隣には他のフェムトセル２０２がある。このフェムトセル２０２はＨＮＢ１０２により形成されている。ＨＮＢ１０２は、ＨＮＢ１０１が所属しているＨＮＢＧＷ３０１とは異なるＨＮＢＧＷ３０２に所属している。さらにＨＮＢ１０２はＨＭＳ４０２に接続している。ここでは、ユーザ装置であるＵＥ８０１は、ＨＮＢ１０１，１０２の両方からの無線電波を受信できる位置にあり、フェムトセル２０２の方を経由してＨＮＢ１０２に接続して通信を行っているものとする。
【００３０】
図２の例では、ＨＮＢ１０１が形成するフェムトセル２０１を包含するマクロセル６０１がある。このマクロセル６０１はＮｏｄｅＢ５０１により形成されている。ＮｏｄｅＢ５０１は、基地局制御装置であるＲＮＣ７０１に所属しており、そのＲＮＣ７０１により管理されている。ここでは、ＵＥ８０１は、ＨＮＢ１０１とＮｏｄｅＢ５０１の両方からの無線電波を受信できる位置にあり、マクロセル６０１経由でＮｏｄｅＢ５０１に接続して通信を行っているものとする。
【００３１】
図１、２のいずれも場合でも、ＵＥ８０１は、ＨＮＢ１０１からブロードキャストされたＨＮＢＧＷ３０１の識別情報を受信し、自装置が接続している基地局装置に通知する。図１の例ではＵＥ８０１は識別情報をＨＮＢ１０２に通知する。図２の例ではＵＥ８０１は識別情報をＮｏｄｅＢ５０１に通知（送信）する。
【００３２】
なお、ＵＥ８０１は、自身が接続している基地局装置以外の基地局装置（ＨＮＢ１０１）からブロードキャストされた、中継装置（ＨＮＢＧＷ３０１）の識別情報を受信したら、その識別情報を通知するという動作を常時行ってもよい。また、ＵＥ８０１は、その動作を行うことが明示的に要求された場合にだけ、その動作を行うことにしてもよい。明示的に要求されたときにだけ、その動作を行うのは主にＳＯＮ機能に有効である。
【００３３】
例えば、ＵＥ８０１が接続している基地局装置（図１ではＨＮＢ１０２、図２ではＮｏｄｅＢ５０１）がＵＥ８０１に識別情報の通知を要求することにしてもよい。その場合、ＵＥ８０１は、その要求に応じて、近隣の基地局装置（ＨＮＢ１０１）からブロードキャストされている識別情報を観測し、観測された識別情報を要求した基地局装置（図１ではＨＮＢ１０２、図２ではＮｏｄｅＢ５０１）に通知すればよい。
【００３４】
３ＧＰＰ−ＷＣＤＭＡシステムの場合、識別情報の通知を要求するためのメッセージとしてＭｅａｓｕｒｅｍｅｎｔ  Ｃｏｎｔｒｏｌメッセージを用い、識別情報を通知するためのメッセージとしてＭｅａｓｕｒｅｍｅｎｔ  Ｒｅｐｏｒｔメッセージを用いてればよい。
【００３５】
さらに、識別情報の通知を要求するためのＭｅａｓｕｒｅｍｅｎｔ  Ｃｏｎｔｒｏｌメッセージには、ＴＲＵＥに設定されたＣｅｌｌ  Ｉｄｅｎｔｉｔｙ  Ｒｅｐｏｒｔｉｎｇ  Ｉｎｄｉｃａｔｏｒ情報要素と、ＴＲＵＥに設定されたＡＮＲ  Ｉｎｄｉｃａｔｏｒ情報要素とを含めることにしてもよい。これにより、ＵＥ８０１は、識別情報の通知を要求するためのＭｅａｓｕｒｅｍｅｎｔ  Ｃｏｎｔｒｏｌメッセージを、他のＭｅａｓｕｒｅｍｅｎｔ  Ｃｏｎｔｒｏｌメッセージと区別することが可能となる。
【００３６】
さらに、識別情報を通知するためのＭｅａｓｕｒｅｍｅｎｔ  Ｒｅｐｏｒｔメッセージでは、Ｃｅｌｌ  Ｉｄｅｎｔｉｔｙ情報要素に識別情報を格納することにしてもよい。
【００３７】
また、フェムトセル２０１の近隣のセル配置によっては、ＨＮＢ１０１からブロードキャストされた、ＨＮＢＧＷ３０１の識別情報を、ＵＥ８０１を介さずにＨＮＢ１０２あるいはＮｏｄｅＢ５０１が直接受信することにしてもよい。
【００３８】
図３は、ＨＮＢ１０１の構成を示すブロック図である。ＨＮＢ１０１は、ＨＮＢＧＷ３０１を介してコアネットワーク（不図示）に接続されており、無線でフェムトセル２０１を形成してユーザ装置と接続する基地局装置である。図３を参照すると、ＨＮＢ１０１は送信部１０１Ａと設定部１０１Ｂとを有している。
【００３９】
送信部１０１Ａは、設定部１０１Ｂから設定された情報をフェムトセルにブロードキャストする。
【００４０】
設定部１０１Ｂは、自装置が所属している中継装置であるＨＮＢＧＷ３０１の識別情報を、フェムトセル２０１にブロードキャストする情報として送信部１０１Ａに設定する。
【００４１】
図４は、ＵＥ８０１の構成を示すブロック図である。ＵＥ８０１は、ＨＮＢ１０１、１０２、あるいはＮｏｄｅＢ５０１といった基地局装置を介してコアネットワークと接続し、データを送受信する端末装置である。図４を参照すると、ＵＥ８０１は受信部８０１Ａと送信部８０１Ｂとを有している。
【００４２】
受信部８０１Ａは、フェムトセルを形成するＨＮＢ１０１からブロードキャストされたＨＮＢＧＷ３０１の識別情報を受信する。送信部８０１Ｂは、受信部８０１Ａが受信した識別情報を、自装置が接続しているＨＮＢ１０２に通知する。例えば、受信部８０１Ａは、ＨＮＢ１０２から識別情報の通知を要求されたら、ＨＮＢ１０１からブロードキャストされている識別情報を受信することにしてもよい。
【００４３】
図５は、ＨＮＢ１０２の構成を示すブロック図である。ＨＮＢ１０２は、ＵＥ８０１が在圏し、接続している基地局装置である。図５を参照すると、ＨＮＢ１０２は要求部１０２Ａと取得部１０２Ｂとを有している。
【００４４】
要求部１０２Ａは、自身に接続しているＵＥ８０１に、フェムトセルを形成する基地局装置（ここではＨＮＢ１０１）からブロードキャストされた識別情報の通知を要求する。取得部１０２Ｂは、要求部１０２Ａからの要求に応じてＵＥから通知される、ＨＮＢＧＷ３０１の識別情報を取得する。
【００４５】
このＨＮＢＧＷ３０１の識別情報は、例えば、フェムトセル２０１をターゲットとするハンドオーバや、ＳＯＮ機能によるネットワーク構成の構築に利用される。ハンドオーバにおいては、取得部１０２Ｂは、取得した識別情報をＨＮＢＧＷ３０２経由でコアネットワークに通知する。コアネットワークは、通知された識別情報を基にしてハンドオーバ先の方路を特定する。ＳＯＮ機能においては、取得部１０２Ｂは、取得した識別情報をＨＭＳ４０２に通知する。ＨＭＳ４０２は、自身の管理する各基地局装置から通知された情報を基にしてＳＯＮ機能を実行する。
【００４６】
なお、ここでは説明の便宜上、ＨＮＢの機能を、ＵＥ８０１が接続しているＨＮＢ１０２（図５）と、ＵＥ８０１に対して情報をブロードキャストするＨＮＢ１０１（図３）とに分けて説明したが、実際のＨＮＢはＨＮＢ１０１、１０２の両方の機能を備えている。
【００４７】
また、ここでは、ＵＥ８０１が接続している基地局装置としてＨＮＢを例示したが、ＮｏｄｅＢ５０１であっても同様に図５の構成を備えることになる。
【００４８】
以上説明した実施形態をより具体化しようとすると様々な構成あるいは動作が採用されうる。以下、本実施形態の具体的な実施例のいくつかについて説明する。
【００４９】
（第１の実施例）
第１の実施例による無線通信システムの基本的な構成は図１、２に示したものと同様である。図１に示したように、フェムトセル２０１を形成するＨＮＢ１０１はＨＮＢＧＷ３０１に属しており、ＨＮＢ１０１に関するネットワークパラメータはＨＭＳ４０１に管理されている。同様に、フェムトセル２０２を形成するＨＮＢ１０２はＨＮＢＧＷ３０２に属しており、ＨＮＢ１０２のネットワークパラメータはＨＭＳ４０２に管理されている。ＨＮＢ１０１とＨＮＢ１０２は互いに近隣の関係にあるが、それぞれ異なるＨＭＳによって管理されている。
【００５０】
ここでは、ＨＮＢ１０２はＨＮＢ１０１が属しているＨＮＢＧＷ３０１の識別情報（識別子）をＨＭＳ４０２から取得できないものとする。また同様に、ＨＮＢ１０１はＨＮＢ１０２が属しているＨＮＢＧＷ３０２の識別情報（識別子）をＨＭＳ４０１から取得できないものとする。
【００５１】
なお、ここでは、ＨＮＢ１０１とＨＮＢ１０２が異なるＨＮＢＧＷに属し、また異なるＨＭＳに属する例を示しているが、本発明はこの構成に限定されるものではない。他の構成として、ＨＮＢ１０１とＨＮＢ１０２が同じＨＮＢＧＷに属してもよく、または、ＨＮＢ１０１とＨＮＢ１０２が同じＨＭＳに属してもよい。更に、ＨＮＢ１０１とＨＮＢ１０２が同じＨＮＢＧＷに属し、かつ同じＨＭＳに属するとしてもよい。
【００５２】
また、ＨＮＢ１０１が形成するフェムトセル２０１の近隣のセル配置としてはシステムのセル設計により様々な構成が考えられ、図１はその一例である。図２に示すように、ＨＮＢ１０１が形成するフェムトセル２０１の近隣に、フェムトセル２０１を包含するマクロセル６０１があってもよい。図２の構成では、ＵＥ８０１がＨＮＢＧＷ３０１の識別子を通知する先は、マクロセル６０１を形成するＮｏｄｅＢ５０１あるいはＮｏｄｅＢ５０１が属しているＲＮＣ７０１となる。
【００５３】
図６は、第１の実施例による無線通信システムの動作を示すシーケンス図である。図６には図１の構成を前提とした動作例が示されているが、図２の構成であっても同様である。
【００５４】
図６を参照すると、まず、ＨＮＢ１０１は、ＨＮＢ１０１が形成するフェムトセル２０１のＳｙｓｔｅｍ  Ｉｎｆｏｒｍａｔｉｏｎに、ＨＮＢ１０１が属しているＨＮＢＧＷ３０１の識別子を１つのパラメータとして設定する（ステップＳ１０１）。これにより、ＨＮＢＧＷ３０１の識別子を含むＳｙｓｔｅｍ  Ｉｎｆｏｒｍａｔｉｏｎが、フェムトセル２０１においてブロードキャストされる（ステップＳ１０２）。
【００５５】
ここでは、ＵＥ８０１は、フェムトセル２０２に在圏し、そのフェムトセル２０２を形成しているＨＮＢ１０２に接続して通信を行っている状態で、フェムトセル２０１の方に向かって移動しているものとする。
【００５６】
ＵＥ８０１は、ＨＮＢ１０１のフェムトセル２０１のエリア内に入ると、ＨＮＢ１０１からフェムトセル２０１にブロードキャストされたＳｙｓｔｅｍ  Ｉｎｆｏｒｍａｔｉｏｎを受信する。そして、ＵＥ８０１は、受信したＳｙｓｔｅｍ  Ｉｎｆｏｒｍａｔｉｏｎから、ＨＮＢ１０１の属しているＨＮＢＧＷ３０１の識別子を取得する（ステップＳ１０３）。
【００５７】
ＨＮＢＧＷ３０１の識別子を取得すると、ＵＥ８０１は、ＵＥ８０１が接続しているＨＮＢ１０２に、フェムトセル２０１を構成するＨＮＢ１０１が属しているＨＮＢＧＷ３０１の識別子を通知する（ステップＳ１０４）。通知方法は、一例として、３ＧＰＰ  ＴＳ２５．３３１に規定されたＲＲＣ  Ｍｅａｓｕｒｅｍｅｎｔ  Ｒｅｐｏｒｔメッセージを用い、その１つのパラメータとしてＨＮＢＧＷ３０１の識別子を通知するという方法である。
【００５８】
ＨＮＢ１０２は、ＵＥ８０１からの通知を受信して、近隣に存在するフェムトセル２０１を形成するＨＮＢ１０１が所属しているＨＮＢＧＷ３０１の識別子を取得する（ステップＳ１０５）。
【００５９】
図７は、第１の実施例を可能にする３ＧＰＰ  ＴＳ２５．３３１の記載例を示す図である。図７を参照すると、Ｓｅｃｔｉｏｎ１０．２．４８．８．６において、Ｓｙｓｔｅｍ  Ｉｎｒｏｍａｔｉｏｎ  Ｂｌｏｃｋ  ｔｙｐｅ  ３に設定される情報要素としてＲＮＣ  Ｉｄｅｎｔｉｔｙが含まれている。このＲＮＣ  ＩｄｅｎｔｉｔｙにＨＮＢＧＷの識別子を格納すればよい。
【００６０】
また、上述したＲＲＣ  Ｍｅａｓｕｒｅｍｅｎｔ  Ｒｅｐｏｒｔメッセージの一例としては、ＨＮＢＧＷ３０１の識別子であるＲＮＣ  ＩｄｅｎｔｉｔｙをＣｅｌｌ  ｍｅａｓｕｒｅｄ  ｒｅｓｕｌｔｓとしてメッセージに格納することが考えられる。その場合、３ＧＰＰ  ＴＳ２５．３３１では、Ｃｅｌｌ  ｍｅａｓｕｒｅｄ  ｒｅｓｕｌｔｓとして設定されうる情報要素に、ＨＮＢＧＷのＲＮＣ  ｉｄｅｎｔｉｔｙが定義される。
【００６１】
図８は、第１の実施例を可能にする３ＧＰＰ  ＴＳ２５．３３１の記載例を示す図である。図８の例では、Ｓｅｃｔｉｏｎ１０．３．２．ｘとして、ＲＮＣ  Ｉｄｅｎｔｉｔｙが定義されている。また、Ｓｅｃｔｉｏｎ１０．３．７．３において、ＲＮＣ  ＩｄｅｎｔｉｔｙがＣｅｌｌ  ｍｅａｓｕｒｅｄ  ｒｅｓｕｌｔｓとして設定される情報要素に含まれている。
【００６２】
以上説明したように、本実施例によれば、ＨＮＢ１０１が、ＨＮＢ１０１の形成するフェムトセル２０１にブロードキャストするＳｙｓｔｅｍ  Ｉｎｆｏｒｍａｔｉｏｎに、ＨＮＢ１０１が属しているＨＮＢＧＷ３０１の識別子を含めるので、ＨＮＢ１０１が属するＨＮＢＧＷ３０１の識別子を近隣のシステムに流通させることができる。
【００６３】
また、本実施例によれば、ＵＥ８０１が、接続しているＨＮＢ１０２と異なるＨＮＢ１０１が属するＨＮＢＧＷ３０１の識別子が設定されたＳｙｓｔｅｍ  Ｉｎｆｏｒｍａｔｉｏｎを受信するので、ＵＥ８０１は、周辺のＨＮＢ１０１が属しているＨＮＢＧＷ３０１の識別子を認識することができる。
【００６４】
また、本実施例によれば、ＨＮＢ１０２に接続しているＵＥ８０１からＨＮＢ１０２に対して、他のＨＮＢ１０１が属するＨＮＢＧＷ３０１の識別子を通知するので、ＨＮＢ１０２が近隣のＨＮＢ１０１のネットワーク構成情報の１つであるＨＮＢＧＷ３０１の識別子を認識することができる。
【００６５】
（第２の実施例）
第２の実施例の無線通信システムは、基本的な構成において第１の実施例のものと同じである。第２の実施例では、基地局装置（ＨＮＢまたはＲＮＣ）が、近隣のフェムトセルを形成しているＨＮＢから直接、そのＨＮＢが所属しているＨＮＢＧＷの識別子を受信するという機能を有する。第２の実施例では、本機能は、第１の実施例による無線通信システムが、第１の実施例に示した機能に追加的に備えているものとする。
【００６６】
図９は、第２の実施例による無線通信システムの構成例を示すブロック図である。第２の実施例は、図１に示した構成よりもＨＮＢ１０２とＨＮＢ１０１の距離が近く、ＨＮＢ１０２のフェムトセル２０２の圏内にＨＮＢ１０１が存在している点で第１の実施例と異なる。
【００６７】
フェムトセル２０１を形成しているＨＮＢ１０１は、ＨＮＢＧＷ３０１に属しており、ＨＮＢ１０１のパラメータはＨＭＳ４０１によって管理されている。フェムトセル２０１の圏内にＨＮＢ１０２が存在する。
【００６８】
フェムトセル２０２を形成しているＨＮＢ１０２は、ＨＮＢＧＷ３０２に属しており、ＨＮＢ１０２のパラメータはＨＭＳ４０２によって管理されている。
【００６９】
ここでは、ＨＮＢ１０２はＨＮＢ１０１が属しているＨＮＢＧＷ３０１の識別子をＨＭＳ４０２から取得できず、ＨＮＢ１０１はＨＮＢ１０２が属しているＨＮＢＧＷ３０２の識別子をＨＭＳ４０１から取得できないものとする。
【００７０】
なお、ここでは、ＨＮＢ１０１とＨＮＢ１０２が異なるＨＮＢＧＷに属し、異なるＨＭＳに属する例を示しているが、本発明はこの構成に限定されるものではない。他の構成として、ＨＮＢ１０１とＨＮＢ１０２が同じＨＮＢＧＷに属してもよく、同じＨＭＳに属してもよい。更に、ＨＮＢ１０１とＨＮＢ１０２が同じＨＮＢＧＷに属し、かつ同じＨＭＳに属するとしてもよい。
【００７１】
また、ＨＮＢ１０１が形成するフェムトセル２０１の近隣のセル配置としてはシステムのセル設計により様々な構成が考えられ、図９はその一例である。ＨＮＢ１０１が形成するフェムトセル２０１の圏内に、マクロセルを形成するＲＮＣが存在してもよい。その場合、ＵＥ８０１がＨＮＢＧＷ３０１の識別子を通知する先は、マクロセルを形成するＮｏｄｅＢあるいはＮｏｄｅＢが属しているＲＮＣとなりうる。
【００７２】
図１０は、第２の実施例による無線通信システムの動作を示すシーケンス図である。図１０には図４の構成を前提とした動作例が示されているが、ＨＮＢ１０２がＲＮＣに代わってもよい。
【００７３】
図１０を参照すると、まず、ＨＮＢ１０１は、ＨＮＢ１０１が形成するフェムトセル２０１のＳｙｓｔｅｍ  Ｉｎｆｏｒｍａｔｉｏｎに、ＨＮＢ１０１が属しているＨＮＢＧＷ３０１の識別子を１つのパラメータとして設定する（ステップＳ２０１）。これにより、ＨＮＢＧＷ３０１の識別子を含むＳｙｓｔｅｍ  Ｉｎｆｏｒｍａｔｉｏｎが、フェムトセル２０１においてブロードキャストされる（ステップＳ２０２）。
【００７４】
ここでは、ＨＮＢ１０２が、ＨＮＢ１０１のフェムトセル２０１の圏内に存在しているので、ＨＮＢ１０２は、ＨＮＢ１０１からブロードキャストされているフェムトセル２０１のＳｙｓｔｅｍ  Ｉｎｆｏｒｍａｔｉｏｎを受信する。そして、ＨＮＢ１０２は、受信したＳｙｓｔｅｍ  Ｉｎｆｏｒｍａｔｉｏｎから、ＨＮＢ１０１の属しているＨＮＢＧＷ３０１の識別子を取得する（ステップＳ２０３）。
【００７５】
以上説明したように、本実施例によれば、ＨＮＢ１０２は、近隣に存在するＨＮＢ１０１からブロードキャストされたＳｙｓｔｅｍ  Ｉｎｆｏｒｍａｔｉｏｎを受信するので、ＨＮＢ１０２が近隣のＨＮＢ１０１のネットワーク構成情報の１つであるＨＮＢＧＷ３０１の識別子を認識することができる。
【００７６】
（第３の実施例）
第３の実施例は、第１あるいは第２の実施例におけるＨＮＢＧＷ３０１の識別子の通知方法をより具体化したものである。本実施例による無線通信システムの基本的な構成例としては図１、２、９のような構成が考えられる。
【００７７】
第３の実施例においては、ＨＮＢ１０１は、ＨＮＢ１０１が属しているＨＮＢＧＷ３０１の識別子をブロードキャストするために、Ｓｙｓｔｅｍ  ＩｎｆｏｒｍａｔｉｏｎにおけるＵＴＲＡＮ  Ｃｅｌｌ  ｉｄｅｎｔｉｔｙという情報要素の中にＲＮＣ  ｉｄ（ＨＮＢＧＷ）を含める。
【００７８】
ＲＮＣ  ｉｄ（ＨＮＢＧＷ）は、ＨＮＢＧＷに付与されたＲＮＣ  ｉｄである。ＨＮＢを含むシステムのアーキテクチャでは、基地局装置であるＨＮＢにもＲＮＣｉｄが付与されているが、それはＲＮＣ  ｉｄ（ＨＮＢ）と表記され、ＲＮＣ  ｉｄ（ＨＮＢＧＷ）と区別される。
【００７９】
図１１は、第３の実施例におけるＵＴＲＡＮ  Ｃｅｌｌ  Ｉｄｅｎｔｉｔｙの内容を示す図である。現在の３ＧＰＰの規定によれば、Ｓｙｓｔｅｍ  Ｉｎｆｏｒｍａｔｉｏｎには２８ｂｉｔのＵＴＲＡＮ  Ｃｅｌｌ  ｉｄｅｎｔｉｔｙが含まれている。ＴＳ２５．３３１では、その構成は実装依存であると記載されているが、一般的にＲＮＣ  ｉｄおよびＣｅｌｌ  ｉｄで構成される。
【００８０】
図１１を参照すると、２８ビットのＵＴＲＡＮ  Ｃｅｌｌ  Ｉｄｅｎｔｉｔｙに、ＲＮＣ  ｉｄのフィールドと、Ｃｅｌｌ  ｉｄのフィールドとがある。一般的には、ＲＮＣ  ｉｄのフィールドが１２ビットであり、Ｃｅｌｌ  ｉｄのフィールドが１６ビットである。ただし、拡張時には、ＲＮＣ  ｉｄのフィールドが１６ビットとなり、Ｃｅｌｌ  ｉｄのフィールドが１２ビットとなる。
【００８１】
本実施例では、図１１に示したように、ＲＮＣ  ｉｄのフィールドに相当する部分をＲＮＣ  ｉｄ（ＨＮＢＧＷ）のフィールドと定義し、Ｃｅｌｌ  ｉｄのフィールドに相当する部分をＲＮＣ  ｉｄ（ＨＮＢ）のフィールドと定義している。
【００８２】
ＨＮＢ１０１の動作としては、ＨＮＢ１０１が属しているＨＮＢＧＷ３０１の識別子を、ＲＮＣ  ｉｄフィールドに相当するＲＮＣ  ｉｄ（ＨＮＢＧＷ）フィールドに格納する。
【００８３】
また、本実施例では、ＨＮＢ１０１は、ＲＲＣ（Ｒａｄｉｏ  Ｒｅｓｏｕｒｃｅ  Ｃｏｎｔｏｌ）プロトコルを終端するＨＮＢ１０１自身に付与されているＲＮＣ  ｉｄ（ＨＮＢ）を、Ｃｅｌｌ  ｉｄフィールドに相当するＲＮＣ  ｉｄ（ＨＮＢ）フィールドに格納する。
【００８４】
一般に１つのＨＮＢが形成するフェムトセルはたかだか１つである。そのため、ＨＮＢを特定することはフェムトセルを特定することに等しい。そこで、ＨＮＢがブロードキャストするＳｙｓｔｅｍ  Ｉｎｆｏｒｍａｔｉｏｎにおいて、２８ビットで構成された既存のパラメータ（情報要素）であるＵＴＲＡＮ  Ｃｅｌｌ  ｉｄｅｎｔｉｔｙに、ＲＮＣ  ｉｄおよびＣｅｌｌ  ｉｄの代わりに、ＲＮＣ  ｉｄ（ＨＮＢＧＷ）およびＲＮＣ  ｉｄ（ＨＮＢ）を設定すれば、ＨＮＢＧＷ−ＨＮＢ−フェムトセルというシステムのアーキテクチャが一意に特定される。
【００８５】
なお、ＨＮＢＧＷ−ＨＮＢ−フェムトセルという構成のシステムと、ＲＮＣ−ＮｏｄｅＢ−マクロセルという構成のシステムが混在する場合、フェムトセルとマクロセルのそれぞれに割り当てられたＵＴＲＡＮ  Ｃｅｌｌ  Ｉｄｅｎｔｉｔｙの一意性を保つことが望ましい。そのためには、ＲＮＣ  ｉｄおよびＣｅｌｌ  ｉｄの値と、ＲＮＣ  ｉｄ（ＨＮＢＧＷ）およびＲＮＣ  ｉｄ（ＨＮＢ）の値とで重複が生じないように識別子を付与すればよい。例えば、上位側の１２ｂｉｔあるいは１６ｂｉｔが重複しないようにすればよい。
【００８６】
また、本実施例において、ＵＥ８０１は、自身が接続しているＨＮＢ１０２とは異なるＨＮＢ１０１からＳｙｓｔｅｍ  ＩｎｆｏｒｍａｔｉｏｎのＵＴＲＡＮ  Ｃｅｌｌ  ｉｄｅｎｔｉｔｙによりブロードキャストされたＨＮＢＧＷの識別子を受信したら、その識別情報をＨＮＢ１０２に通知するという動作を常時行ってもよい。また、ＵＥ８０１は、その動作を行うことがＨＮＢ１０２から明示的に要求された場合にだけ、その動作を行うことにしてもよい。
【００８７】
３ＧＰＰＴＳ２５．３３１  Ｓｅｃｔｉｏｎ１０．３．７．５によれば、Ｃｅｌｌ  Ｉｄｅｎｔｉｔｙ  Ｒｅｐｏｒｔｉｎｇ  Ｉｎｄｉｃａｔｏｒという情報要素が定義されており、また、その情報要素の値としてＴＲＵＥとＦＡＬＳＥが定義されている。Ｃｅｌｌ  Ｉｄｅｎｔｉｔｙ  Ｒｅｐｏｒｔｉｎｇ  Ｉｎｄｉｃａｔｏｒ＝ＴＲＵＥは、測定対象セルのＣｅｌｌ  ｉｄ（＝ＵＴＲＡＮ  Ｃｅｌｌ  Ｉｄｅｎｔｉｔｙ）の報告を要求するものである。
【００８８】
しかしながら、現在の規定では、Ｓｅｃｔｉｏｎ８．６．７．７において、ＵＥはＣｅｌｌ  Ｉｄｅｎｔｉｔｙ  Ｒｅｐｏｒｔｉｎｇ  Ｉｎｄｉｃａｔｏｒ＝ＴＲＵＥであっても、ＦＡＬＳＥであると読み替えるように規定されている。
【００８９】
そこで本実施例では１つの方法として、Ｓｅｃｔｉｏｎ８．６．７．７において、Ｃｅｌｌ  Ｉｄｅｎｔｉｔｙ  Ｒｅｐｏｒｔｉｎｇ  Ｉｎｄｉｃａｔｏｒ＝ＴＲＵＥの場合に、一律的にＦＡＬＳＥに読み替えないことを提案する。
【００９０】
具体的には、ＨＮＢ１０２は、Ｃｅｌｌ  Ｉｄｅｎｔｉｔｙ  Ｒｅｐｏｒｔｉｎｇ  Ｉｎｄｉｃａｔｏｒ＝ＴＲＵＥに設定したＭｅａｓｕｒｅｍｅｎｔ  Ｃｏｎｔｒｏｌメッセージによって、フェムトセルのＣｅｌｌ  ＩｄｅｎｔｉｔｙをＵＥ８０１に要求することにする。そして、その要求を受けたＵＥ８０１は、測定されたＣｅｌｌ  Ｉｄｅｎｔｉｔｙを、Ｍｅａｓｕｒｅｍｅｎｔ  ＲｅｐｏｒｔメッセージでＨＮＢ１０２に通知することにする。
【００９１】
また、本実施例では他の方法として、後述するようにＳｅｃｔｉｏｎ８．６．７．７および関連箇所の記述を変更することにより、ＵＥからＨＮＢへＵＴＲＡＮ  Ｃｅｌｌ  Ｉｄｅｎｔｉｔｙを通知することを可能にすることも提案する。
【００９２】
具体的には、ＨＮＢ１０２は、Ｃｅｌｌ  Ｉｄｅｎｔｉｔｙ  Ｒｅｐｏｒｔｉｎｇ  Ｉｎｄｉｃａｔｉｏｎ＝ＴＲＵＥかつＡＮＲ  Ｉｎｄｉｃａｔｏｒ＝ＴＲＵＥに設定したＭｅａｓｕｒｅｍｅｎｔ  Ｃｏｎｔｒｏｌメッセージによって、フェムトセルのＣｅｌｌ  ＩｄｅｎｔｉｔｙをＵＥ８０１に要求することとする。ＡＮＲは、Ａｕｔｏｍａｔｉｃ  Ｎｅｉｇｈｂｏｕｒ  Ｒｅｌａｔｉｏｎの略である。
【００９３】
新たに定義される情報要素（パラメータ）であるＡＮＲ  Ｉｎｄｉｃａｔｏｒには、その値としてＴＲＵＥとＦＡＬＳＥが設定されうる。ＡＮＲ  Ｉｎｄｉｃａｔｏｒ＝ＴＲＵＥは、近隣セルからブロードキャストされるＳｙｓｔｅｍ  Ｉｎｏｆｒｏｍａｔｉｏｎを測定し、ＵＴＲＡＮ  Ｃｅｌｌ  Ｉｄｅｎｔｉｔｙを取得することを要求するものである。
【００９４】
そのメッセージを受けたＵＥ８０１は、近隣セルからブロードキャストされているＳｙｓｔｅｍ  Ｉｎｆｏｒｍａｔｉｏｎを測定し、測定されたＳｙｓｔｅｍ  Ｉｎｆｏｒｍａｔｉｏｎ内のＣｅｌｌ  Ｉｄｅｎｔｉｔｙを取得し、Ｍｅａｓｕｒｅｍｅｎｔ  ＲｅｐｏｒｔメッセージでＨＮＢ１０２に通知する。
【００９５】
３ＧＰＰ  ＴＳ２５．３３１における、ＡＮＲ  Ｉｎｄｉｃａｔｏｒを含むＭｅａｓｕｒｅｍｅｎｔ  Ｃｏｎｔｒｏｌメッセージに対応するための変更について説明する。
【００９６】
測定対象セルのＣｅｌｌ  Ｉｄｅｎｔｉｔｙ（すなわちＵＴＲＡＮ  Ｃｅｌｌ  Ｉｄｅｎｔｉｔｙ）の報告指示に関する記載が以下のように変更される。ＵＥは、受信したＭｅａｓｕｒｅｍｅｎｔ  ＣｏｎｔｒｏｌメッセージにおいてＣｅｌｌ  Ｉｄｅｎｔｉｔｙ  Ｒｅｐｏｒｔｉｎｇ  Ｉｎｄｉｃａｔｏｒ＝ＴＲＵＥかつＡＮＲ  Ｉｎｄｉｃａｔｏｒ＝ＴＲＵＥと設定されていれば、測定したセルのＣｅｌｌ  Ｉｄｅｎｔｉｔｙを、Ｍｅｓｕｒｅｍｅｎｔ  Ｒｅｐｏｒｔメッセージに設定する。また、ＵＥは、受信したＭｅａｓｕｒｅｍｅｎｔ  Ｃｏｎｔｒｏｌメッセージがそれとは異なる設定となっていた場合には、Ｃｅｌｌ  Ｉｄｅｎｔｉｔｙ  Ｒｅｐｏｒｔｉｎｇ  Ｉｎｄｉｃａｔｏｒ＝ＦＡＬＳＥとみなす。
【００９７】
＜３ＧＰＰ  ＴＳ２５．３３１の記述例＞
図１２は、第３の実施例を可能にする３ＧＰＰ  ＴＳ２５．３３１の記載例を示す図である。
【００９８】
図１２を参照すると、Ｓｅｃｔｉｏｎ１０．３．２．２における２つ目の「ＮＯＴＥ」として、ＨＮＢにより形成されるフェムトセルの場合のＲＮＣ  ＩｄｅｎｔｉｔｙがＣｅｌｌ  Ｉｄｅｎｔｉｔｙ情報要素に格納されうることが追記されている。
【００９９】
また、Ｓｅｃｔｉｏｎ１０．３．７．５において、Ｃｅｌｌ  ｒｅｐｏｒｔｉｎｇ  ｑｕａｎｔｉｔｉｅｓとしてＡＮＲ  Ｉｎｄｉｃａｔｏｒが設定されうることが追記されている。
【０１００】
その上で更に、３ＧＰＰ  ＴＳ２５．３３１  Ｓｅｃｔｉｏｎ８．６．７．７の記述例として、
「Ｉｆ  ｔｈｅ  ＩＥ“Ｃｅｌｌ  Ｉｄｅｎｔｉｔｙ”  ｉｓ  ｓｅｔ  ｔｏ  ＴＲＵＥ，  ｔｈｅ  ＵＥ  ｓｈａｌｌ
１＞  ｉｆ  ｔｈｅ  ＩＥ  “ＡＮＲ  ｉｎｄｉｃａｔｏｒ”  ｉｓ  ｓｅｔ  ｔｏ  ＴＲＵＥ，
ｓｅｔ  ＩＥ  “ｃｅｌｌ  ｉｄｅｎｔｉｔｙ”  ｏｆ  ｔｈｅ  ｍｅａｓｕｒｅｄ  ｃｅｌｌ．
２＞  Ｏｔｈｅｒｗｉｓｅ，
ｔｒｅａｔ  ｔｈｅ  ＩＥ  ａｓ  ｉｆ  ｔｈｅ  ＩＥ  “Ｃｅｌｌ  Ｉｄｅｎｔｉｔｙ”  ｉｓ  ｓｅｔ  ｔｏ  ＦＡＬＳＥ．」
というような記述をすればよい。
【０１０１】
図１３は、第３の実施例による無線通信システムにおけるＵＥがＨＮＢからの要求でフェムトセルの識別子を通知するときの動作を示すシーケンス図である。
【０１０２】
図１３を参照すると、ＵＥ８０１とＨＮＢ１０２の間でＲＲＣ  Ｃｏｎｎｅｃｔｉｏｎが確立すると（ステップＳ３０１）、ＨＮＢ１０２は、Ｃｅｌｌ  Ｉｄｅｎｔｉｔｙ  Ｒｅｐｏｒｔｉｎｇ  Ｉｎｄｉｃａｔｏｒ＝ＴＲＵＥかつＡＮＲ  Ｉｎｄｉｃａｔｏｒ＝ＴＲＵＥのＭｅａｓｕｒｅｍｅｎｔ  ＣｏｎｔｒｏｌメッセージをＵＥ８０１に送信する（ステップＳ３０２）。ＵＥ８０１は、そのメッセージを受信する。
【０１０３】
一方、ＨＮＢ１０１は、ＨＮＢ１０１が形成するフェムトセル２０１のＳｙｓｔｅｍ  ＩｎｆｏｒｍａｔｉｏｎのＵＴＲＡＮ  Ｃｅｌｌ  Ｉｄｅｎｔｉｔｙ情報要素に、ＨＮＢＧＷ３０１の識別子であるＲＮＣ  ｉｄ（ＨＮＢＧＷ）と、ＨＮＢ１０１の識別子であるＲＮＣ  ｉｄ（ＨＮＢ）とを設定している（ステップＳ３０３）。これにより、ＨＮＢＧＷ３０１の識別子とＨＮＢ１０１の識別子を含むＳｙｓｔｅｍ  Ｉｎｆｏｒｍａｔｉｏｎが、フェムトセル２０１においてブロードキャストされている（ステップＳ３０４）。
【０１０４】
ここでは、ＵＥ８０１は、ＨＮＢ１０２に接続して通信を行っている状態で、フェムトセル２０１の方に向かって移動しているものとする。ステップＳ３０２にてＭｅａｓｕｒｅｍｅｎｔ  Ｃｏｎｔｒｏｌメッセージを受信したＵＥ８０１は、ＨＮＢ１０１のフェムトセル２０１のエリア内に入ると、ＨＮＢ１０１からブロードキャストされたフェムトセル２０１のＳｙｓｔｅｍ  Ｉｎｆｏｒｍａｔｉｏｎを受信する。
【０１０５】
そして、ＵＥ８０１は、受信したＳｙｓｔｅｍ  Ｉｎｆｏｒｍａｔｉｏｎから、ＵＴＲＡＮ  Ｃｅｌｌ  Ｉｄｅｎｔｉｔｙ情報要素を取得する（ステップＳ３０５）。このＵＴＲＡＮ  Ｃｅｌｌ  Ｉｄｅｎｔｉｔｙ情報要素には、ＨＮＢ１０１の識別子とＨＮＢＧＷ３０１の識別子とが格納されている。
【０１０６】
そして、ＵＥ８０１は、取得したＵＴＲＡＮ  Ｃｅｌｌ  Ｉｄｅｎｔｉｔｙ情報要素を含むＭｅａｓｕｒｅｍｅｎｔ  ＲｅｐｏｒｔメッセージをＨＮＢ１０２に送信する（ステップＳ３０６）。
【０１０７】
ＨＮＢ１０２は、Ｍｅａｓｕｒｅｍｅｎｔ  Ｒｅｐｏｒｔメッセージから、ＵＴＲＡＮ  Ｃｅｌｌ  Ｉｄｅｎｔｉｔｙ情報要素に含まれている、ＨＮＢ１０１の識別子（ＲＮＣ  ｉｄ（ＨＮＢ））と、ＨＮＢＧＷ３０１の識別子（ＲＮＣ  ｉｄ（ＨＮＢＧＷ））とを取得する（ステップＳ３０７）。
【０１０８】
なお、ＡＮＲ  Ｉｎｄｉｃａｔｏｒ＝ＴＲＵＥを用いたＵＴＲＡＮ  Ｃｅｌｌ  Ｉｄｅｎｔｉｔｙの要求においては測定対象セルを指定することができ、そのような指定はＳＯＮ機能に有効である。測定対象セルの指定はセル毎に行うことができ、既に構成情報が把握されているセルを指定することもできる。
【０１０９】
また、ＨＮＢ１０１が形成するフェムトセル２０１の近隣のセル配置としてはシステムのセル設計により様々な構成が考えられる。ＨＮＢ１０１が形成するフェムトセル２０１を包含するように、あるいはフェムトセル２０１と重複するようにマクロセルがあってもよい。その場合、ＵＥ８０１がＨＮＢＧＷ３０１の識別子を通知する先は、マクロセルを形成するＮｏｄｅＢあるいはＮｏｄｅＢが属しているＲＮＣとなりうる。
【０１１０】
以上説明したように本実施例によれば、ＨＮＢＧＷの識別子であるＲＮＣ  ｉｄ（ＨＮＢＧＷ）を、既存のパラメータであるＵＴＲＡＮ  Ｃｅｌｌ  ｉｄｅｎｔｉｔｙに格納するので、ＨＮＢがブロードキャストするＳｙｓｔｅｍ  Ｉｎｆｏｒｍａｔｉｏｎに新規パラメータ（情報要素）を追加する必要がない。
【０１１１】
また、本実施例によれば、Ｍｅａｓｕｒｅｍｅｎｔ  Ｃｏｎｔｒｏｌメッセージにより、ＵＴＲＡＮ  Ｃｅｌｌ  ｉｄｅｎｔｉｔｙの通知を要求することができるので、ネットワーク構成が分からないセルを測定対象とし、かつ、指定したＵＥが通知することができるＵＴＲＡＮ  Ｃｅｌｌ  Ｉｄｅｎｔｉｔｙだけを取得することができる。
【０１１２】
（第４の実施例）
第４の実施例も第３の実施例と同様に、第１あるいは第２の実施例におけるＨＮＢＧＷ３０１の識別子の通知方法をより具体化したものである。本実施例による無線通信システムの基本的な構成例としては図１、２のような構成が考えられる。
【０１１３】
第４の実施例においては、ＨＮＢ１０１は、ＨＮＢ１０１が属しているＨＮＢＧＷ３０１の識別子をブロードキャストするために、Ｓｙｓｔｅｍ  ＩｎｆｏｒｍａｔｉｏｎにおけるＲＮＣ  ｉｄｅｎｔｉｔｙという新たに定義された情報要素の中にＲＮＣ  ｉｄ（ＨＮＢＧＷ）を含める。
【０１１４】
図１４は、第４の実施例による無線通信システムにおけるＵＥがＨＮＢからの要求でフェムトセルに送信される識別子を通知するときの動作を示すシーケンス図である。
【０１１５】
図１４を参照すると、ＵＥ８０１とＨＮＢ１０２の間でＲＲＣ  Ｃｏｎｎｅｃｔｉｏｎが確立すると（ステップＳ４０１）、ＨＮＢ１０２は、ＲＮＣ  Ｉｄｅｎｔｉｔｙ  Ｒｅｐｏｒｔｉｎｇ  Ｉｎｄｉｃａｔｏｒ＝ＴＲＵＥに設定されたＭｅａｓｕｒｅｍｅｎｔ  ＣｏｎｔｒｏｌメッセージをＵＥ８０１に送信する（ステップＳ４０２）。ＵＥ８０１は、そのメッセージを受信する。
【０１１６】
一方、ＨＮＢ１０１は、ＨＮＢ１０１が形成するフェムトセル２０１のＳｙｓｔｅｍ  Ｉｎｆｏｒｍａｔｉｏｎに含まれる新パラメータＲＮＣ  Ｉｄｅｎｔｉｔｙ情報要素に、ＨＮＢＧＷ３０１の識別子であるＲＮＣ  ｉｄ（ＨＮＢＧＷ）を設定している（ステップＳ４０３）。これにより、ＨＮＢＧＷ３０１の識別子を含むＳｙｓｔｅｍ  Ｉｎｆｏｒｍａｔｉｏｎが、フェムトセル２０１においてブロードキャストされている（ステップＳ４０４）。
【０１１７】
ここでは、ＵＥ８０１は、ＨＮＢ１０２に接続して通信を行っている状態で、フェムトセル２０１の方に向かって移動しているものとする。ステップＳ３０２にてＭｅａｓｕｒｅｍｅｎｔ  Ｃｏｎｔｒｏｌメッセージを受信したＵＥ８０１は、ＨＮＢ１０１のフェムトセル２０１のエリア内に入ると、ＨＮＢ１０１からブロードキャストされたフェムトセル２０１のＳｙｓｔｅｍ  Ｉｎｆｏｒｍａｔｉｏｎを受信する。
【０１１８】
そして、ＵＥ８０１は、受信したＳｙｓｔｅｍ  Ｉｎｆｏｒｍａｔｉｏｎから、ＲＮＣ  Ｉｄｅｎｔｉｔｙ情報要素を取得する（ステップＳ４０５）。このＲＮＣ  Ｉｄｅｎｔｉｔｙ情報要素には、ＨＮＢＧＷ３０１の識別子が格納されている。
【０１１９】
そして、ＵＥ８０１は、取得したＲＮＣ  Ｉｄｅｎｔｉｔｙ情報要素を含むＭｅａｓｕｒｅｍｅｎｔ  ＲｅｐｏｒｔメッセージをＨＮＢ１０２に送信する（ステップＳ４０６）。
【０１２０】
ＨＮＢ１０２は、Ｍｅａｓｕｒｅｍｅｎｔ  Ｒｅｐｏｒｔメッセージから、ＲＮＣ  Ｉｄｅｎｔｉｔｙ情報要素に含まれている、ＨＮＢＧＷ３０１の識別子（ＲＮＣ  ｉｄ（ＨＮＢＧＷ））を取得する（ステップＳ４０７）。
【０１２１】
なお、ＲＮＣ  Ｉｄｅｎｔｉｔｙ  Ｒｅｐｏｒｔｉｎｇ  Ｉｎｄｉｃａｔｏｒ＝ＴＲＵＥを用いたＲＮＣ  Ｉｄｅｎｔｉｔｙの要求においては測定対象セルを指定することができ、そのような指定はＳＯＮ機能に有効である。測定対象セルの指定はセル毎に行うことができ、既に構成情報が把握されているセルを指定することもできる。
【０１２２】
また、ＨＮＢ１０１が形成するフェムトセル２０１の近隣のセル配置としてはシステムのセル設計により様々な構成が考えられる。ＨＮＢ１０１が形成するフェムトセル２０１を包含するように、あるいはフェムトセル２０１と重複するようにマクロセルがあってもよい。その場合、ＵＥ８０１がＨＮＢＧＷ３０１の識別子を通知する先は、マクロセルを形成するＮｏｄｅＢあるいはＮｏｄｅＢが属しているＲＮＣとなりうる。
【０１２３】
本実施例によれば、Ｍｅａｓｕｒｅｍｅｎｔ  Ｃｏｎｔｒｏｌメッセージにより、ＲＮＣ  ｉｄｅｎｔｉｔｙの通知を要求することができるので、ネットワーク構成が分からないセルを測定対象とし、かつ、指定したＵＥが通知することができるＲＮＣ  Ｉｄｅｎｔｉｔｙだけを取得することができる。
【０１２４】
（第５の実施例）
上述した第１〜３の実施例では、一般にＲＡＮＧＷ方式のフェムトシステムと呼ばれる、ＣＮ−ＨＮＢＧＷ−ＨＮＢ−ＵＥのアーキテクチャを有するシステムの例を示したが、本発明はこれに限定されるものではない。他の例として、ＩＭＳ（ＩＰ  Ｍｕｌｔｉｍｅｄｉａ  Ｓｕｂｓｙｓｔｅｍ）  Ｆｅｍｔｏ方式のフェムトシステムにも同様に本発明を適用することができる。ＩＭＳ  Ｆｅｍｔｏ方式のフェムトシステムではＨＮＢにＩＭＳ機能が含まれている。
【０１２５】
図１５は、第５の実施例による無線通信システムの構成を示すブロック図である。図１５では、図２に示したＨＮＢ１０１の代わりにＩＭＳ−Ｆｅｍｔｏ１０１が配置され、ＨＮＢＧＷ３０１の代わりにＩＭＳ−ＧＷ３０１が配置されている。この構成では、ＩＭＳ機能を含んだＨＮＢであるＩＭＳ−Ｆｅｍｔｏ１０１が、自身の属するＩＭＳ−ＧＷ３０１の識別子をブロードキャストすることとなる。
【０１２６】
（第６の実施例）
さらに他の例として、Ｅ−ＵＴＲＡＮネットワークのフェムトシステムにも同様に本発明を適用することができる。Ｅ−ＵＴＲＡＮネットワークのフェムトシステムでは、ＭＭＥ−ＨｅＮＢＧＷ−ＨｅＮＢ−ＵＥというアーキテクチャが採られる。
【０１２７】
図１６は、第６の実施例による無線通信システムの構成を示すブロック図である。図１６では、図２に示したＨＮＢ１０１の代わりにＨｅＮＢ１０１が配置され、ＨＮＢＧＷ３０１の代わりにＨｅＮＢＧＷ３０１が配置されている。この構成では、ＨｅＮＢ１０１が、自身の属するＨｅＮＢＧＷ３０１の識別子をブロードキャストすることとなる。
【０１２８】
（第７の実施例）
さらに他の例として、一般にＲＡＮＧＷ方式と呼ばれるフェムトシステムにも同様に本発明を適用することができる。ＲＡＮＧＷ方式のフェムトシステムでは、ＣＮ−ＨＮＢＧＷ−ＨＮＢ−ＵＥというアーキテクチャが採られる。
【０１２９】
図１７は、第７の実施例による無線通信システムの構成を示すブロック図である。図１７では、図２に示したＨＮＢ１０１の代わりにＦｅｍｔｏ−ＢＴＳ１０１が配置され、ＨＮＢＧＷ３０１の代わりにＲＮＣ７０１が配置されている。この構成では、Ｆｅｍｔｏ−ＢＴＳ１０１が、自身の属するＲＮＣ７０１の識別子をブロードキャストすることとなる。
【０１３０】
なお、上述した本発明の実施形態および実施例における基地局装置は、ハードウェア的あるいはソフトウェア的な構成が限定されるものではなく、様々な構成が可能である。例えば、本発明の実施形態および実施例における基地局装置は、内蔵するプロセッサによってソフトウェアプログラムを実行することにより、上述した各処理動作を行うものであってもよい。
【０１３１】
以上、本発明の実施形態および実施例について述べてきたが、本発明は、これらの実施形態や実施例だけに限定されるものではなく、本発明の技術思想の範囲内において、これらの実施形態や実施例を組み合わせて使用したり、一部の構成を変更したりしてもよい。
【０１３２】
この出願は、２００９年４月２３日に出願された日本出願特願２００９−１０５６２９を基礎として優先権の利益を主張するものであり、その開示の全てを引用によってここに取り込む。
【図１】
2010122842.tif 000003
【図２】
2010122842.tif 000004
【図３】
2010122842.tif 000005
【図４】
2010122842.tif 000006
【図５】
2010122842.tif 000007
【図６】
2010122842.tif 000008
【図７】
2010122842.tif 000009
【図８】
2010122842.tif 000010
【図９】
2010122842.tif 000011
【図１０】
2010122842.tif 000012
【図１１】
2010122842.tif 000013
【図１２】
2010122842.tif 000014
【図１３】
2010122842.tif 000015
【図１４】
2010122842.tif 000016
【図１５】
2010122842.tif 000017
【図１６】
2010122842.tif 000018
【図１７】
2010122842.tif 000019
【図１８】
2010122842.tif 000020
【手続補正書】
【提出日】平成24年4月4日(2012.4.4)
【手続補正１】
【補正対象書類名】特許請求の範囲
【補正対象項目名】全文
【補正方法】変更
【補正の内容】
【特許請求の範囲】
【請求項１】
フェムトセルを形成する第１の基地局装置と、
前記第１の基地局装置に接続されており、該第１の基地局装置がコアネットワークと送受信するデータを中継する中継装置と、
を有し、
前記中継装置は、Ｈｏｍｅ  Ｎｏｄｅ  Ｇａｔｅｗａｙであり、
前記第１の基地局装置が、該第１の基地局装置に接続されている前記中継装置の識別情報をＳｙｓｔｅｍ  Ｉｎｆｏｒｍａｔｉｏｎ内に設定してブロードキャストする、
無線通信システム。
【請求項２】
前記第１の基地局装置からブロードキャストされた前記識別情報を受信し、自装置が接続している第２の基地局装置に該識別情報を送信するユーザ装置を更に有する、請求項１に記載の無線通信システム。
【請求項３】
前記第２の基地局装置が、自身に接続している前記ユーザ装置に識別情報の送信を要求し、
前記ユーザ装置が、前記要求を受けて、近隣の第１の基地局装置からブロードキャストされている識別情報を観測し、
前記ユーザ装置が、観測された前記識別情報を前記第２の基地局装置に送信する、
請求項２に記載の無線通信システム。
【請求項４】
前記識別情報の送信を要求するためのメッセージがＭｅａｓｕｒｅｍｅｎｔ  Ｃｏｎｔｒｏｌメッセージであり、
前記識別情報を送信するためのメッセージがＭｅａｓｕｒｅｍｅｎｔ  Ｒｅｐｏｒｔメッセージである、
請求項３に記載の無線通信システム。
【請求項５】
前記識別情報の送信を要求するための前記Ｍｅａｓｕｒｅｍｅｎｔ  Ｃｏｎｔｒｏｌメッセージには、ＴＲＵＥに設定されたＣｅｌｌ  Ｉｄｅｎｔｉｔｙ  Ｒｅｐｏｒｔｉｎｇ  Ｉｎｄｉｃａｔｏｒ情報要素と、ＴＲＵＥに設定されたＡＮＲ  Ｉｎｄｉｃａｔｏｒ情報要素とが含まれている、
請求項４に記載の無線通信システム。
【請求項６】
前記識別情報を送信するための前記Ｍｅａｓｕｒｅｍｅｎｔ  Ｒｅｐｏｒｔメッセージには、前記識別情報が格納されたＣｅｌｌ  Ｉｄｅｎｔｉｔｙ情報要素が含まれている、請求項４または５に記載の無線通信システム。
【請求項７】
前記識別情報の送信を要求するための前記Ｍｅａｓｕｒｅｍｅｎｔ  Ｃｏｎｔｒｏｌメッセージには、ＴＲＵＥに設定されたＲＮＣ  Ｉｄｅｎｔｉｔｙ  Ｒｅｐｏｒｔｉｎｇ  Ｉｎｄｉｃａｔｏｒ情報要素が含まれている、
請求項４に記載の無線通信システム。
【請求項８】
前記識別情報を送信するための前記Ｍｅａｓｕｒｅｍｅｎｔ  Ｒｅｐｏｒｔメッセージには、前記識別情報が格納されたＲＮＣ  Ｉｄｅｎｔｉｔｙ情報要素が含まれている、請求項４または７に記載の無線通信システム。
【請求項９】
前記第１の基地局装置からブロードキャストされた前記識別情報を受信する第２の基地局装置を更に有する、請求項１に記載の無線通信システム。
【請求項１０】
前記第１の基地局装置は、前記中継装置の識別情報を、前記Ｓｙｓｔｅｍ  Ｉｎｆｏｒｍａｔｉｏｎ内のＣｅｌｌ  Ｉｄｅｎｔｉｔｙ情報要素としてブロードキャストする、請求項１〜９のいずれか１項に記載の無線通信システム。
【請求項１１】
前記第１の基地局装置は、前記中継装置の識別情報であるＲＮＣ  ｉｄ（ＨＮＢＧＷ）を、前記Ｓｙｓｔｅｍ  Ｉｎｆｏｒｍａｔｉｏｎ内のＣｅｌｌ  Ｉｄｅｎｔｉｔｙ情報要素のＲＮＣ  ｉｄのフィールドに格納する、請求項１０に記載の無線通信システム。
【請求項１２】
前記第１の基地局装置は、前記中継装置の識別情報を、前記Ｓｙｓｔｅｍ  Ｉｎｆｏｒｍａｔｉｏｎ内のＲＮＣ  Ｉｄｅｎｔｉｔｙ情報要素としてブロードキャストする、請求項１〜９のいずれか１項に記載の無線通信システム。
【請求項１３】
前記第１の基地局装置は、前記中継装置の識別情報であるＲＮＣ  ｉｄ（ＨＮＢＧＷ）を、前記Ｓｙｓｔｅｍ  Ｉｎｆｏｒｍａｔｉｏｎ内のＲＮＣ  Ｉｄｅｎｔｉｔｙ情報要素のＲＮＣ  ｉｄのフィールドに格納する、請求項１２に記載の無線通信システム。
【請求項１４】
Ｈｏｍｅ  Ｎｏｄｅ  Ｇａｔｅｗａｙである中継装置を介してコアネットワークに接続されており、無線でフェムトセルを形成してユーザ装置と接続する基地局装置であって、
設定された情報を前記フェムトセルにブロードキャストする送信部と、
自装置が接続されている前記中継装置の識別情報を、Ｓｙｓｔｅｍ  Ｉｎｆｏｒｍａｔｉｏｎ内に設定し、前記フェムトセルにブロードキャストする情報として前記送信部に設定する設定部と、を有する基地局装置。
【請求項１５】
前記設定部は、前記中継装置の識別情報を、前記Ｓｙｓｔｅｍ  Ｉｎｆｏｒｍａｔｉｏｎ内のＣｅｌｌ  Ｉｄｅｎｔｉｔｙ情報要素として、前記送信部に設定する、請求項１４に記載の基地局装置。
【請求項１６】
前記設定部は、前記中継装置の識別情報であるＲＮＣ  ｉｄ（ＨＮＢＧＷ）を、前記Ｓｙｓｔｅｍ  Ｉｎｆｏｒｍａｔｉｏｎ内のＣｅｌｌ  Ｉｄｅｎｔｉｔｙ情報要素のＲＮＣ  ｉｄのフィールドとして、前記送信部に設定する、請求項１５に記載の基地局装置。
【請求項１７】
前記設定部は、前記中継装置の識別情報を、前記Ｓｙｓｔｅｍ  Ｉｎｆｏｒｍａｔｉｏｎ内のＲＮＣ  Ｉｄｅｎｔｉｔｙ情報要素として、前記送信部に設定する、請求項１４に記載の基地局装置。
【請求項１８】
前記設定部は、前記中継装置の識別情報であるＲＮＣ  ｉｄ（ＨＮＢＧＷ）を、前記Ｓｙｓｔｅｍ  Ｉｎｆｏｒｍａｔｉｏｎ内のＲＮＣ  Ｉｄｅｎｔｉｔｙ情報要素のＲＮＣ  ｉｄのフィールドとして、前記送信部に設定する、請求項１７に記載の基地局装置。
【請求項１９】
中継装置を介してコアネットワークに接続されており、無線でセルを形成してユーザ装置と接続する第１の基地局装置からブロードキャストされた、該基地局装置が接続している該中継装置の識別情報を受信する受信部と、
前記受信部が受信した前記識別情報を、自装置が接続している第２の基地局装置に送信する送信部と、
を有するユーザ装置。
【請求項２０】
前記受信部は、前記第２の基地局装置から識別情報の送信を要求されたら、前記第１の基地局装置からブロードキャストされている識別情報を受信する、
請求項１９に記載のユーザ装置。
【請求項２１】
前記識別情報の送信を要求するためのメッセージがＭｅａｓｕｒｅｍｅｎｔ  Ｃｏｎｔｒｏｌメッセージであり、
前記識別情報を送信するためのメッセージがＭｅａｓｕｒｅｍｅｎｔ  Ｒｅｐｏｒｔメッセージである、
請求項２０に記載のユーザ装置。
【請求項２２】
前記識別情報の送信を要求するための前記Ｍｅａｓｕｒｅｍｅｎｔ  Ｃｏｎｔｒｏｌメッセージには、ＴＲＵＥに設定されたＣｅｌｌ  Ｉｄｅｎｔｉｔｙ  Ｒｅｐｏｒｔｉｎｇ  Ｉｎｄｉｃａｔｏｒ情報要素と、ＴＲＵＥに設定されたＡＮＲ  Ｉｎｄｉｃａｔｏｒ情報要素とが含まれている、
請求項２１に記載のユーザ装置。
【請求項２３】
前記識別情報を送信するための前記Ｍｅａｓｕｒｅｍｅｎｔ  Ｒｅｐｏｒｔメッセージには、前記識別情報が格納されたＣｅｌｌ  Ｉｄｅｎｔｉｔｙ情報要素が含まれている、請求項２１または２２に記載のユーザ装置。
【請求項２４】
前記識別情報の送信を要求するための前記Ｍｅａｓｕｒｅｍｅｎｔ  Ｃｏｎｔｒｏｌメッセージには、ＴＲＵＥに設定されたＲＮＣ  Ｉｄｅｎｔｉｔｙ  Ｒｅｐｏｒｔｉｎｇ  Ｉｎｄｉｃａｔｏｒ情報要素が含まれている、
請求項２１に記載のユーザ装置。
【請求項２５】
前記識別情報を送信するための前記Ｍｅａｓｕｒｅｍｅｎｔ  Ｒｅｐｏｒｔメッセージには、前記識別情報が格納されたＲＮＣ  Ｉｄｅｎｔｉｔｙ情報要素が含まれている、請求項２１または２４に記載のユーザ装置。
【請求項２６】
前記第１の基地局装置からは、前記中継装置の識別情報が、Ｓｙｓｔｅｍ  Ｉｎｆｏｒｍａｔｉｏｎ内のＣｅｌｌ  Ｉｄｅｎｔｉｔｙ情報要素としてブロードキャストされる、請求項１９〜２５のいずれか１項に記載のユーザ装置。
【請求項２７】
前記第１の基地局装置からは、前記中継装置の識別情報であるＲＮＣ  ｉｄ（ＨＮＢＧＷ）が、Ｓｙｓｔｅｍ  Ｉｎｆｏｒｍａｔｉｏｎ内のＣｅｌｌ  Ｉｄｅｎｔｉｔｙ情報要素のＲＮＣ  ｉｄのフィールドに格納してブロードキャストされる、請求項２６に記載のユーザ装置。
【請求項２８】
前記第１の基地局装置からは、前記中継装置の識別情報が、Ｓｙｓｔｅｍ  Ｉｎｆｏｒｍａｔｉｏｎ内のＲＮＣ  Ｉｄｅｎｔｉｔｙ情報要素としてブロードキャストする、請求項１９〜２５のいずれか１項に記載のユーザ装置。
【請求項２９】
前記第１の基地局装置からは、前記中継装置の識別情報であるＲＮＣ  ｉｄ（ＨＮＢＧＷ）が、Ｓｙｓｔｅｍ  Ｉｎｆｏｒｍａｔｉｏｎ内のＲＮＣ  Ｉｄｅｎｔｉｔｙ情報要素のＲＮＣ  ｉｄのフィールドに格納してブロードキャストされる、請求項２８に記載のユーザ装置。
【請求項３０】
自身に接続しているユーザ装置に、セルを形成する基地局装置からブロードキャストされた識別情報の送信を要求する要求部と、
前記ユーザ装置から送信される前記識別情報を取得する取得部と、を有する基地局装置。
【請求項３１】
フェムトセルを用いる無線通信システムの通信制御方法において、
前記フェムトセルを形成する第１の基地局装置が、該第１の基地局装置が接続している、該第１の基地局装置がコアネットワークと送受信するデータを中継するＨｏｍｅ  Ｎｏｄｅ  Ｇａｔｅｗａｙである中継装置の識別情報をＳｙｓｔｅｍ  Ｉｎｆｏｒｍａｔｉｏｎ内に設定してブロードキャストすることを特徴とする、通信制御方法。
【請求項３２】
ユーザ装置は、前記第１の基地局装置からブロードキャストされた前記識別情報を受信し、自装置が接続している第２の基地局装置に該識別情報を送信する、請求項３１に記載の通信制御方法。
【請求項３３】
前記第２の基地局装置が、自身に接続している前記ユーザ装置に識別情報の送信を要求し、
前記ユーザ装置が、前記要求を受けて、近隣の第１の基地局装置からブロードキャストされている識別情報を観測し、
前記ユーザ装置が、観測された前記識別情報を前記第２の基地局装置に送信する、
請求項３２に記載の通信制御方法。
【請求項３４】
前記識別情報の送信を要求するためのメッセージがＭｅａｓｕｒｅｍｅｎｔ  Ｃｏｎｔｒｏｌメッセージであり、
前記識別情報を送信するためのメッセージがＭｅａｓｕｒｅｍｅｎｔ  Ｒｅｐｏｒｔメッセージである、
請求項３３に記載の通信制御方法。
【請求項３５】
前記識別情報の送信を要求するための前記Ｍｅａｓｕｒｅｍｅｎｔ  Ｃｏｎｔｒｏｌメッセージには、ＴＲＵＥに設定されたＣｅｌｌ  Ｉｄｅｎｔｉｔｙ  Ｒｅｐｏｒｔｉｎｇ  Ｉｎｄｉｃａｔｏｒ情報要素と、ＴＲＵＥに設定されたＡＮＲ  Ｉｎｄｉｃａｔｏｒ情報要素とが含まれている、
請求項３４に記載の通信制御方法。
【請求項３６】
前記識別情報を送信するための前記Ｍｅａｓｕｒｅｍｅｎｔ  Ｒｅｐｏｒｔメッセージには、前記識別情報が格納されたＣｅｌｌ  Ｉｄｅｎｔｉｔｙ情報要素が含まれている、請求項３４または３５に記載の通信制御方法。
【請求項３７】
前記識別情報の送信を要求するための前記Ｍｅａｓｕｒｅｍｅｎｔ  Ｃｏｎｔｒｏｌメッセージには、ＴＲＵＥに設定されたＲＮＣ  Ｉｄｅｎｔｉｔｙ  Ｒｅｐｏｒｔｉｎｇ  Ｉｎｄｉｃａｔｏｒ情報要素が含まれている、
請求項３４に記載の通信制御方法。
【請求項３８】
前記識別情報を送信するための前記Ｍｅａｓｕｒｅｍｅｎｔ  Ｒｅｐｏｒｔメッセージには、前記識別情報が格納されたＲＮＣ  Ｉｄｅｎｔｉｔｙ情報要素が含まれている、請求項３４または３７に記載の通信制御方法。
【請求項３９】
前記第１の基地局装置は、前記中継装置の識別情報を、前記Ｓｙｓｔｅｍ  Ｉｎｆｏｒｍａｔｉｏｎ内のＣｅｌｌ  Ｉｄｅｎｔｉｔｙ情報要素としてブロードキャストする、請求項３１〜３８のいずれか１項に記載の通信制御方法。
【請求項４０】
前記第１の基地局装置は、前記中継装置の識別情報であるＲＮＣ  ｉｄ（ＨＮＢＧＷ）を、前記Ｓｙｓｔｅｍ  Ｉｎｆｏｒｍａｔｉｏｎ内のＣｅｌｌ  Ｉｄｅｎｔｉｔｙ情報要素のＲＮＣ  ｉｄのフィールドに格納する、請求項３９に記載の通信制御方法。
【請求項４１】
前記第１の基地局装置は、前記中継装置の識別情報を、前記Ｓｙｓｔｅｍ  Ｉｎｆｏｒｍａｔｉｏｎ内のＲＮＣ  Ｉｄｅｎｔｉｔｙ情報要素としてブロードキャストする、請求項３１〜３８のいずれか１項に記載の通信制御方法。
【請求項４２】
前記第１の基地局装置は、前記中継装置の識別情報であるＲＮＣ  ｉｄ（ＨＮＢＧＷ）を、前記Ｓｙｓｔｅｍ  Ｉｎｆｏｒｍａｔｉｏｎ内のＲＮＣ  Ｉｄｅｎｔｉｔｙ情報要素のＲＮＣ  ｉｄのフィールドに格納する、請求項４１に記載の通信制御方法。
【手続補正書】
【提出日】平成24年7月13日(2012.7.13)
【手続補正１】
【補正対象書類名】特許請求の範囲
【補正対象項目名】請求項１９
【補正方法】変更
【補正の内容】
【請求項１９】
中継装置を介してコアネットワークに接続されており、無線でセルを形成してユーザ装置と接続する第１の基地局装置からブロードキャストされた、該基地局装置が接続している該中継装置の識別情報を受信する受信部と、
前記受信部が受信した前記識別情報を、自装置が接続している第２の基地局装置に送信する送信部と、
を有し、
前記中継装置は、Ｈｏｍｅ  Ｎｏｄｅ  Ｇａｔｅｗａｙであり、
前記中継装置の識別情報は、Ｓｙｓｔｅｍ  Ｉｎｆｏｒｍａｔｉｏｎ内に設定されているユーザ装置。
【手続補正２】
【補正対象書類名】特許請求の範囲
【補正対象項目名】請求項３０
【補正方法】変更
【補正の内容】
【請求項３０】
自身に接続しているユーザ装置に、セルを形成する基地局装置からブロードキャストされた識別情報の送信を要求する要求部と、
前記ユーザ装置から送信される前記識別情報を取得する取得部と、を有し、
前記識別情報は、前記基地局が接続している中継装置の識別情報であり、
前記中継装置は、Ｈｏｍｅ  Ｎｏｄｅ  Ｇａｔｅｗａｙであり、
前記中継装置の識別情報は、Ｓｙｓｔｅｍ  Ｉｎｆｏｒｍａｔｉｏｎ内に設定されている基地局装置。
【国際調査報告】
2010122842.tif 000021
2010122842.tif 000022